(57)【要約】本発明の実施形態は、ベースバンド処理ユニット（ＢＢＵ）により伝送された下りリンクベースバンド信号を受信し、下りリンクベースバンド信号を処理し、下りリンク中間周波数アナログ信号に変調してイーサネットケーブルに出力することと、検出フィードバックされた上りリンク中間周波数アナログ信号をイーサネットケーブルから取得し、上りリンク中間周波数アナログ信号を処理することと、処理された上りリンク中間周波数アナログ信号をデジタルプリディストーション（ＤＰＤ）のフィードバックとして入力し、イーサネットケーブルから中間周波数アナログ信号を取得して上りリンクベースバンド信号に変換し、上りリンクベースバンド信号をＢＢＵに送信することとを含む、無線ベースバンドデータを伝送する方法を開示する。本発明の実施形態は、対応する、無線ベースバンドデータを伝送する装置および無線遠隔ユニット（ＲＲＵ）を提供する。本発明の実施形態に開示された解決策によれば、イーサネット信号＋中間周波数信号＋パワーオーバーイーサネット（ＥＩＰ）装置によりＢＢＵとＲＲＵの間の無線ベースバンド信号伝送を実現でき、それによって光ファイバーまたはマイクロ波伝送ネットワークを再敷設する必要があるのでネットワーク配置コストが高くなる問題を回避できる。【選択図】図１
2016511959.tif 000002
【特許請求の範囲】
【請求項１】
無線ベースバンドデータを伝送する方法であって、
ベースバンド処理ユニット（ＢＢＵ）から伝送された下りリンクベースバンド信号を受信し、前記下りリンクベースバンド信号を処理し、下りリンク中間周波数アナログ信号に変調して、イーサネットケーブルに出力することと、
検出フィードバックされた上りリンク中間周波数アナログ信号を前記イーサネットケーブルから取得し、前記上りリンク中間周波数アナログ信号を処理することと、
処理後の前記上りリンク中間周波数アナログ信号をデジタルプリディストーション（ＤＰＤ）のフィードバックとして入力し、前記イーサネットケーブルから中間周波数アナログ信号を取得し、取得された中間周波数アナログ信号を上りリンクベースバンド信号に変換してＢＢＵに送信することと、を含む、方法。
【請求項２】
前記上りリンク中間周波数アナログ信号は、無線遠隔ユニット（ＲＲＵ）がイーサネットケーブルから受信された前記下りリンク中間周波数アナログ信号に対してダウンコンバージョン処理を行って無線周波数信号を取得し、前記無線周波数信号を増幅し、増幅された無線周波数信号を検出して検出無線周波数信号を取得し、前記検出無線周波数信号に対してダウンコンバージョン処理を行うことで取得されるものであることを特徴とする
請求項１に記載の方法。
【請求項３】
下りリンクベースバンド信号を処理し、下りリンク中間周波数アナログ信号に変調することは、
前記下りリンクベースバンド信号に対してデジタルアップコンバージョン処理を行って下りリンク中間周波数デジタル信号に変換することと、
前記下りリンク中間周波数デジタル信号に対してピーククリッピング、デジタルプリディストーションおよびデジタル−アナログ変換を行って下りリンク中間周波数アナログ信号に変調することと、を含むことを特徴とする
請求項２に記載の方法。
【請求項４】
前記処理後の上りリンク中間周波数アナログ信号をＤＰＤのフィードバックとして入力し、前記イーサネットケーブルから中間周波数信号を取得し、上りリンクベースバンド信号に変換することは、
前記上りリンク中間周波数アナログ信号をバンドパスフィルタを通してフィルタリングし、アナログ−デジタル変換を行って上りリンク中間周波数デジタル信号を取得することと、
前記上りリンク中間周波数デジタル信号に対してダウンコンバージョン処理を行って上りリンクベースバンド信号に変換することと、を含むことを特徴とする
請求項１に記載の方法。
【請求項５】
前記ＢＢＵから伝送された下りリンクベースバンド信号の受信を実行した後、
前記下りリンクベースバンド信号からクロック信号を抽出し、イーサネットケーブルに出力し、ＲＲＵが当該クロック信号を受信した後にバンドパスフィルタを通してフィルタリングして基準クロック信号を取得して位相ロックループに入力するために供することをさらに含むことを特徴とする
請求項１〜４のいずれか１項に記載の方法。
【請求項６】
前記ＢＢＵから伝送された下りリンクベースバンド信号の受信を実行する場合、
イーサネットによって伝送されたイーサネット信号を受信し、前記イーサネットケーブルに出力し、ＲＲＵがイーサネットケーブルから前記イーサネット信号を受信してイーサネット交換を行い、無線ＬＡＮインターフェースを介して出力するために供することをさらに含むことを特徴とする
請求項５に記載の方法。
【請求項７】
無線ベースバンドデータを伝送する装置であって、
ベースバンド処理ユニット（ＢＢＵ）から伝送された下りリンクベースバンド信号を受信し、前記下りリンクベースバンド信号を処理し、下りリンク中間周波数アナログ信号に変調し、イーサネットケーブルに出力するように構成される下りリンクベースバンド信号処理モジュールと、
検出フィードバックされた上りリンク中間周波数アナログ信号を前記イーサネットケーブルから取得し、前記上りリンク中間周波数アナログ信号を処理するように構成される検出フィードバックされた上りリンク中間周波数アナログ信号取得および処理モジュールと、
処理後の前記上りリンク中間周波数アナログ信号をデジタルプリディストーション（ＤＰＤ）のフィードバックとして入力し、前記イーサネットケーブルから中間周波数アナログ信号を取得し、上りリンクベースバンド信号に変換するように構成される上りリンクベースバンド信号生成モジュールと、
前記上りリンクベースバンド信号をＢＢＵに送信するように構成される上りリンクベースバンド信号送信モジュールとを含む、装置。
【請求項８】
前記検出フィードバックされた上りリンク中間周波数アナログ信号取得および処理モジュールにより取得された前記上りリンク中間周波数アナログ信号は、無線遠隔ユニット（ＲＲＵ）がイーサネットケーブルから受信された前記下りリンク中間周波数アナログ信号に対してアップコンバージョン処理を行って無線周波数信号を取得し、前記無線周波数信号を増幅し、増幅された無線周波数信号を検出して検出無線周波数信号を取得し、前記検出無線周波数信号に対してダウンコンバージョン処理を行うことで取得されるものであることを特徴とする
請求項７に記載の装置。
【請求項９】
前記下りリンクベースバンド信号処理モジュールは、
前記下りリンクベースバンド信号に対してデジタルアップコンバージョン処理を行って下りリンク中間周波数デジタル信号に変換するように構成されるアップコンバージョン処理ユニットと、
前記下りリンク中間周波数デジタル信号に対してピーククリッピング、デジタルプリディストーションおよびデジタル−アナログ変換を行って下りリンク中間周波数アナログ信号に変調するように構成される変調ユニットと、を含むことを特徴とする
請求項７に記載の装置。
【請求項１０】
前記上りリンクベースバンド信号生成モジュールは、
前記上りリンク中間周波数アナログ信号をバンドパスフィルタを通してフィルタリングし、アナログ−デジタル変換を行って上りリンク中間周波数デジタル信号を取得するように構成される上りリンク中間周波数デジタル信号生成ユニットと、
前記上りリンク中間周波数デジタル信号に対してダウンコンバージョン処理を行って上りリンクベースバンド信号に変換するように構成されるダウンコンバージョン処理ユニットと、を含むことを特徴とする
請求項７に記載の装置。
【請求項１１】
前記下りリンクベースバンド信号からクロック信号を抽出し、イーサネットケーブルに出力し、ＲＲＵが当該クロック信号を受信した後にバンドパスフィルタを通してフィルタリングして基準クロック信号を取得して位相ロックループに入力するために供するように構成されるクロック信号抽出および出力モジュールをさらに含むことを特徴とする
請求項７〜１０のいずれか１項に記載の装置。
【請求項１２】
イーサネットによって伝送されたイーサネット信号を受信し、イーサネットケーブルに出力し、ＲＲＵがイーサネットケーブルから前記イーサネット信号を受信した後にイーサネット交換を行い、無線ＬＡＮインターフェースを介して出力するために供するように構成されるイーサネット信号出力モジュールをさらに含むことを特徴とする
請求項１１に記載の装置。
【請求項１３】
前記イーサネットケーブルへ電流及び電圧を供給し、および遠隔側のＲＲＵに電力を供給するように構成される給電装置（ＰＳＥ）およびイーサネット交換モジュールをさらに含むことを特徴とする
請求項７〜１１のいずれか１項に記載の装置。
【請求項１４】
無線遠隔ユニット（ＲＲＵ）であって、
イーサネットケーブルから下りリンクアナログ中間周波数信号を取得し、取得された下りリンクアナログ中間周波数信号を下りリンク無線周波数信号に変換し、アンテナポートを介して出力するように構成される下りリンク信号処理サブモジュールと、
アンテナポートを介してフィードバックされた上りリンク無線周波数信号を受信して、上りリンク中間周波数アナログ信号に変換し、イーサネットケーブルに出力するように構成される上りリンク信号処理サブモジュールと、
前記下りリンク無線周波数信号を検出し、検出された信号に対してダウンコンバージョン処理を行って上りリンクアナログ中間周波数信号に変換してイーサネットケーブルに出力するように構成される下りリンク信号検出フィードバックサブモジュールとを含む、無線遠隔ユニット（ＲＲＵ）。
【請求項１５】
前記下りリンク信号処理サブモジュールは、
イーサネットケーブルからバンドパスフィルタを通してフィルタリングされた下りリンクアナログ中間周波数信号を取得するように構成される取得ユニットと、
フィルタリングされた前記下りリンクアナログ中間周波数信号に対してアップコンバージョン処理を行い、前記下りリンクアナログ中間周波数信号を下りリンク無線周波数信号に変換するように構成されるアップコンバージョン処理ユニットと、
電力増幅器で前記下りリンク無線周波数信号を増幅し、増幅された前記下りリンク無線周波数信号をデュプレックスフィルタを通してフィルタリングしてアンテナポートに出力するように構成される増幅および出力ユニットと、を含むことを特徴とする
請求項１４に記載のＲＲＵ。
【請求項１６】
前記上りリンク信号処理サブモジュールは、さらに、
フィードバックされた上りリンク無線周波数信号をアンテナポートから受信し、デュプレックスフィルタを通してフィルタリングし、低雑音増幅およびダウンコンバージョン処理を行って上りリンク中間周波数アナログ信号に変換し、イーサネットケーブルに出力するように構成されることを特徴とする
請求項１５に記載のＲＲＵ。
【請求項１７】
前記下りリンク信号検出フィードバックサブモジュールは、
電力増幅器で増幅された前記下りリンク無線周波数信号を検出するように構成される検出ユニットと、
検出された前記下りリンク無線周波数信号に対してダウンコンバージョン処理を行って上りリンクアナログ中間周波数信号に変換し、前記上りリンクアナログ中間周波数信号をイーサネットケーブルに出力するように構成されるダウンコンバージョン処理および出力ユニットと、を含むことを特徴とする
請求項１６に記載のＲＲＵ。
【請求項１８】
イーサネットケーブルから取得された前記下りリンクアナログ中間周波数信号をバンドパスフィルタを通してフィルタリングして基準クロック信号を取得して位相ロックループに入力するように構成されるクロック取得サブモジュールをさらに含むことを特徴とする
請求項１４〜１７のいずれか１項に記載のＲＲＵ。
【請求項１９】
内部のイーサネット交換モジュールに接続され、上りリンクおよび下りリンクワイヤレス・フィディリティー（ＷＩＦＩ）信号を処理するように構成される無線ローカルエリアネットワーク（ＷＬＡＮ）信号処理モジュールと、
内部のイーサネット交換モジュールに接続され、ＲＲＵに対して保守制御および監視を行うように構成される制御監視サブモジュールと、をさらに含むことを特徴とする
請求項１８に記載のＲＲＵ。
【請求項２０】
イーサネットケーブルから電流及び電圧を抽出し、ＲＲＵの全てのアクティブモジュールに電力を供給するように構成される受電装置（ＰＤ）サブモジュールをさらに含むことを特徴とする
請求項１９に記載のＲＲＵ。
【発明の詳細な説明】
【技術分野】
【０００１】
本発明は、無線通信技術分野に関し、特に無線ベースバンドデータを伝送する方法、装置および無線遠隔ユニット（ＲＲＵ：Ｒａｄｉｏ  Ｒｅｍｏｔｅ  Ｕｎｉｔ）に関する。
【背景技術】
【０００２】
３ＧＰＰ  ＧＳＭ／ＵＭＴＳ／ＬＴＥ無線アクセスシステムにおいて、分散型基地局ベースバンド処理ユニット（ＢＢＵ：Ｂｕｉｌｄｉｎｇ  Ｂａｓｅ  ｂａｎｄ  Ｕｎｉｔ）＋ＲＲＵのネットワーキングモードの応用は、非常に一般的であって、ＢＢＵとＲＲＵの間の伝送データがベースバンドＩＱデータであり、ベースバンドＩＱデータの伝送レートが一般的に１．２２８８Ｇｂｐｓまたは２．４５７６Ｇｂｐｓ（異なる搬送波容量に依存する）に要求される。ベースバンドＩＱデータの高速伝送需要を解決するために、現在業界において光ファイバー伝送または高周波および高帯域幅のマイクロ波伝送装置が用いられるが、この２つの伝送モードは、実際のネットワーク配置においてオペレータが光ファイバーまたはマイクロ波伝送ネットワークを再敷設する必要があるので、ネットワークの配置コストが高くなる。
【発明の概要】
【発明が解決しようとする課題】
【０００３】
本発明の実施形態の主な目的は、光ファイバーまたはマイクロ波伝送ネットワークを再敷設する必要があるのでネットワーク配置コストが高くなる問題を避けるために、無線ベースバンドデータを伝送する方法、装置およびＲＲＵを提供することである。
【課題を解決するための手段】
【０００４】
本発明の実施形態に係る無線ベースバンドデータを伝送する方法は、
ＢＢＵから伝送された下りリンクベースバンド信号を受信し、前記下りリンクベースバンド信号を処理し、下りリンク中間周波数アナログ信号に変調して、イーサネットケーブルに出力することと、
検出フィードバックされた上りリンク中間周波数アナログ信号を前記イーサネットケーブルから取得し、前記上りリンク中間周波数アナログ信号を処理することと、
処理後の前記上りリンク中間周波数アナログ信号をデジタルプリディストーション（ＤＰＤ：Ｄｉｇｉｔａｌ  Ｐｒｅｄｉｓｔｏｒｔｉｏｎ）のフィードバックとして入力し、前記イーサネットケーブルから中間周波数アナログ信号を取得し、取得された中間周波数アナログ信号を上りリンクベースバンド信号に変換してＢＢＵに送信することと、を含む。
【０００５】
好ましくは、前記上りリンク中間周波数アナログ信号は、ＲＲＵがイーサネットケーブルから受信された前記下りリンク中間周波数アナログ信号に対してダウンコンバージョン処理を行って無線周波数信号を取得し、前記無線周波数信号を増幅し、増幅された無線周波数信号を検出して検出無線周波数信号を取得し、前記検出無線周波数信号に対してダウンコンバージョン処理を行うことで取得されるものである。
【０００６】
好ましくは、下りリンクベースバンド信号を処理し、下りリンク中間周波数アナログ信号に変調することは、
前記下りリンクベースバンド信号に対してデジタルアップコンバージョン処理を行って下りリンク中間周波数デジタル信号に変換することと、
前記下りリンク中間周波数デジタル信号に対してピーククリッピング、デジタルプリディストーションおよびデジタル−アナログ変換を行って、下りリンク中間周波数アナログ信号に変調することと、を含む。
【０００７】
好ましくは、前記処理後の上りリンク中間周波数アナログ信号をＤＰＤのフィードバックとして入力し、前記イーサネットケーブルから中間周波数アナログ信号を取得し、上りリンクベースバンド信号に変換することは、
前記上りリンク中間周波数アナログ信号をバンドパスフィルタを通してフィルタリングし、アナログ−デジタル変換を行って上りリンク中間周波数デジタル信号を取得することと、
前記上りリンク中間周波数デジタル信号に対してダウンコンバージョン処理を行い、上りリンクベースバンド信号に変換することと、を含む。
【０００８】
好ましくは、前記ＢＢＵから伝送された下りリンクベースバンド信号の受信を実行した後、
前記下りリンクベースバンド信号からクロック信号を抽出し、イーサネットケーブルに出力し、ＲＲＵが当該クロック信号を受信した後にバンドパスフィルタを通してフィルタリングして基準クロック信号を取得して位相ロックループに入力するために供することをさらに含む。
【０００９】
好ましくは、前記ＢＢＵから伝送された下りリンクベースバンド信号の受信を実行する場合、
イーサネットによって伝送されたイーサネット信号を受信し、前記イーサネットケーブルに出力し、ＲＲＵがイーサネットケーブルから前記イーサネット信号を受信してイーサネット交換を行い、無線ＬＡＮインターフェースを介して出力するために供することをさらに含む。
【００１０】
本発明の実施形態に係る無線ベースバンドデータを伝送する装置は、
ＢＢＵから伝送された下りリンクベースバンド信号を受信し、前記下りリンクベースバンド信号を処理し、下りリンク中間周波数アナログ信号に変調し、イーサネットケーブルに出力するように構成される下りリンクベースバンド信号処理モジュールと、
検出フィードバックされた上りリンク中間周波数アナログ信号を前記イーサネットケーブルから取得し、前記上りリンク中間周波数アナログ信号を処理するように構成される検出フィードバックされた上りリンク中間周波数アナログ信号取得および処理モジュールと、
処理後の前記上りリンク中間周波数アナログ信号をＤＰＤのフィードバックとして入力し、前記イーサネットケーブルから中間周波数アナログ信号を取得し、上りリンクベースバンド信号に変換するように構成される上りリンクベースバンド信号生成モジュールと、
前記上りリンクベースバンド信号をＢＢＵに送信するように構成される上りリンクベースバンド信号送信モジュールと、を含む。
【００１１】
好ましくは、前記検出フィードバックされた上りリンク中間周波数アナログ信号取得および処理モジュールにより取得された前記上りリンク中間周波数アナログ信号は、ＲＲＵがイーサネットケーブルから受信された前記下りリンク中間周波数アナログ信号に対してアップコンバージョン処理を行って無線周波数信号を取得し、前記無線周波数信号を増幅し、増幅された無線周波数信号を検出して検出無線周波数信号を取得し、前記検出無線周波数信号に対してダウンコンバージョン処理を行うことで取得されるものである。
【００１２】
好ましくは、前記下りリンクベースバンド信号処理モジュールは、
前記下りリンクベースバンド信号に対してデジタルアップコンバージョン処理を行って下りリンク中間周波数デジタル信号に変換するように構成されるアップコンバージョン処理ユニットと、
前記下りリンク中間周波数デジタル信号に対してピーククリッピング、デジタルプリディストーションおよびデジタル−アナログ変換を行って、下りリンク中間周波数アナログ信号に変調するように構成される変調ユニットと、を含む。
【００１３】
好ましくは、前記上りリンクベースバンド信号生成モジュールは、
前記上りリンク中間周波数アナログ信号をバンドパスフィルタを通してフィルタリングし、アナログ−デジタル変換を行って上りリンク中間周波数デジタル信号を取得するように構成される上りリンク中間周波数デジタル信号生成ユニットと、
前記上りリンク中間周波数デジタル信号に対してダウンコンバージョン処理を行って、上りリンクベースバンド信号に変換するように構成されるダウンコンバージョン処理ユニットと、を含む。
【００１４】
好ましくは、無線ベースバンドデータを伝送する装置は、
前記下りリンクベースバンド信号からクロック信号を抽出し、イーサネットケーブルに出力し、ＲＲＵが当該クロック信号を受信した後にバンドパスフィルタを通してフィルタリングして基準クロック信号を取得して位相ロックループに入力するために供するように構成されるクロック信号抽出および出力モジュールをさらに含む。
【００１５】
好ましくは、無線ベースバンドデータを伝送する装置は、
イーサネットによって伝送されたイーサネット信号を受信し、イーサネットケーブルに出力し、ＲＲＵがイーサネットケーブルから前記イーサネット信号を受信した後にイーサネット交換を行い、無線ＬＡＮインターフェースを介して出力するために供するように構成されるイーサネット信号出力モジュールをさらに含む。
【００１６】
好ましくは、無線ベースバンドデータを伝送する装置は、
前記イーサネットケーブルへ電流及び電圧を供給し、および遠隔側のＲＲＵに電力を供給するように構成される給電装置（ＰＳＥ：Ｐｏｗｅｒ  Ｓｏｕｒｃｉｎｇ  Ｅｑｕｉｐｍｅｎｔ）およびイーサネット交換モジュールをさらに含む。
【００１７】
実際の応用において、前記下りリンクベースバンド信号処理モジュールにおけるアップコンバージョン処理ユニットは、無線ベースバンドデータを伝送する装置におけるコンバータにより実現されることができ、前記下りリンクベースバンド信号処理モジュールにおける変調ユニットは、無線ベースバンドデータを伝送する装置におけるモデムにより実現されることができる。
【００１８】
前記検出フィードバックされた上りリンク中間周波数アナログ信号取得および処理モジュールは、無線ベースバンドデータを伝送する装置における中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｎｇｎａｌ  Ｐｒｏｃｅｓｓｏｒ）またはプログラマブルロジックアレー（ＦＰＧＡ：Ｆｉｅｌｄ−Ｐｒｏｇｒａｍｍａｂｌｅ  Ｇａｔｅ  Ａｒｒａｙ）により実現されることができる。
【００１９】
前記上りリンクベースバンド信号生成モジュールにおける上りリンク中間周波数デジタル信号生成ユニットは、無線ベースバンドデータを伝送する装置におけるデジタル信号生成器により実現されることができ、前記上りリンクベースバンド信号生成モジュールにおけるダウンコンバージョン処理ユニットは、無線ベースバンドデータを伝送する装置におけるコンバータにより実現されることができる。
【００２０】
前記上りリンクベースバンド信号送信モジュールは、無線ベースバンドデータを伝送する装置における送信機により実現されることができる。
【００２１】
前記クロック信号抽出および出力モジュールは、無線ベースバンドデータを伝送する装置におけるＣＰＵ、ＤＳＰまたはＦＰＧＡにより実現されることができる。
【００２２】
前記イーサネット信号出力モジュールは、無線ベースバンドデータを伝送する装置におけるイーサネットコントローラにより実現されることができる。
【００２３】
前記給電装置（ＰＳＥ：Ｐｏｗｅｒ  Ｓｏｕｒｃｉｎｇ  Ｅｑｕｉｐｍｅｎｔ）およびイーサネット交換モジュールは、無線ベースバンドデータを伝送する装置における電源およびイーサネット交換装置により実現される。
【００２４】
本発明の実施形態に係るＲＲＵは、
イーサネットケーブルから下りリンクアナログ中間周波数信号を取得し、下りリンク無線周波数信号に変換し、変換後の前記下りリンク無線周波数信号をアンテナポートを介して出力するように構成される下りリンク信号処理サブモジュールと、
アンテナポートを介してフィードバックされた上りリンク無線周波数信号を受信して、上りリンク中間周波数アナログ信号に変換し、イーサネットケーブルに出力するように構成される上りリンク信号処理サブモジュールと、
前記下りリンク無線周波数信号を検出し、検出された信号に対してダウンコンバージョン処理を行って上りリンクアナログ中間周波数信号に変換してイーサネットケーブルに出力するように構成される下りリンク信号検出フィードバックサブモジュールと、を含む。
【００２５】
好ましくは、前記下りリンク信号処理サブモジュールは、
イーサネットケーブルからバンドパスフィルタを通してフィルタリングされた下りリンクアナログ中間周波数信号を取得するように構成される取得ユニットと、
フィルタリングされた前記下りリンクアナログ中間周波数信号に対してアップコンバージョン処理を行い、前記下りリンクアナログ中間周波数信号を下りリンク無線周波数信号に変換するように構成されるアップコンバージョン処理ユニットと、
電力増幅器で前記下りリンク無線周波数信号を増幅し、増幅された前記下りリンク無線周波数信号をデュプレックスフィルタを通してフィルタリングしてアンテナポートに出力するように構成される増幅および出力ユニットと、を含む。
【００２６】
好ましくは、前記上りリンク信号処理サブモジュールは、さらに、
フィードバックされた上りリンク無線周波数信号をアンテナポートから受信し、デュプレックスフィルタを通してフィルタリングし、低雑音増幅およびダウンコンバージョン処理を行って上りリンク中間周波数アナログ信号に変換し、イーサネットケーブルに出力するように構成される。
【００２７】
好ましくは、前記下りリンク信号検出フィードバックサブモジュールは、
電力増幅器で増幅された前記下りリンク無線周波数信号を検出するように構成される検出ユニットと、
検出された前記下りリンク無線周波数信号に対してダウンコンバージョン処理を行って上りリンクアナログ中間周波数信号に変換し、前記上りリンクアナログ中間周波数信号をイーサネットケーブルに出力するように構成されるダウンコンバージョン処理および出力ユニットと、を含む。
【００２８】
好ましくは、ＲＲＵは、
イーサネットケーブルから取得された前記下りリンクアナログ中間周波数信号をバンドパスフィルタを通してフィルタリングして基準クロック信号を取得して位相ロックループに入力するように構成されるクロック取得サブモジュールをさらに含む。
【００２９】
好ましくは、  ＲＲＵは、
内部のイーサネット交換モジュールに接続され、上りリンクおよび下りリンクワイヤレス・フィディリティー（ＷＩＦＩ：Ｗｉｒｅｌｅｓｓ  Ｆｉｄｅｌｉｔｙ）信号を処理するように構成される無線ローカルエリアネットワーク（ＷＬＡＮ：Ｗｉｒｅｌｅｓ  Ｌｏｃａｌ  Ａｒｅａ  Ｎｅｔｗｏｒｋｓ）信号処理モジュールと、
内部のイーサネット交換モジュールに接続され、ＲＲＵに対して保守制御および監視を行うように構成される制御監視サブモジュールと、をさらに含む。
【００３０】
好ましくは、ＲＲＵは、
イーサネットケーブルから電流及び電圧を抽出し、ＲＲＵの全てのアクティブモジュールに電力を供給するように構成される受電装置（ＰＤ：Ｐｏｗｅｒｅｄ  Ｄｅｖｉｃｅ）サブモジュールをさらに含む。
【００３１】
実際の応用において、前記下りリンク信号処理サブモジュールにおける取得ユニットは、ＲＲＵにおけるイーサネットトランシーバにより実現されることができ、前記下りリンク信号処理サブモジュールにおけるアップコンバージョン処理ユニットは、ＲＲＵにおけるコンバータにより実現されることができ、前記下りリンク信号処理サブモジュールにおける増幅および出力ユニットは、ＲＲＵにおける電力増幅器とフィルタにより実現されることができる。
【００３２】
前記下りリンク信号検出フィードバックサブモジュールにおける検出ユニットは、ＲＲＵにおける無線周波数信号検出器により実現されることができ、前記下りリンク信号検出フィードバックサブモジュールにおけるダウンコンバージョン処理および出力ユニットは、ＲＲＵにおけるコンバータと信号出力機能を備えるＦＰＧＡにより実現されることができる。
【００３３】
前記クロック取得サブモジュールは、ＲＲＵにおけるＣＰＵ、ＤＳＰまたはＦＰＧＡにより実現されることができる。
【００３４】
前記ＷＬＡＮ信号処理モジュールは、ＲＲＵにおけるＷＬＡＮルータにより実現されることができる。
【００３５】
前記制御監視サブモジュールは、ＲＲＵにおけるＣＰＵ、ＤＳＰまたはＦＰＧＡにより実現されることができる。
【００３６】
本発明の実施形態は、イーサネット信号＋中間周波数信号＋パワーオーバーイーサネット（ＥＩＰ：Ｅｔｈｅｒｎｅｔ  ｓｉｇｎａｌ＋ＩＦ  ｓｉｇｎａｌ＋ＰｏＥ）装置により、ＢＢＵから伝送された下りリンクベースバンド信号を受信し、下りリンクベースバンド信号を処理し、下りリンク中間周波数アナログ信号に変調し、イーサネットケーブルに出力し、その後、イーサネットケーブルからＲＲＵが下りリンク無線周波数アナログ信号に対する検出に基づいてフィードバックした上りリンク中間周波数アナログ信号を取得し、フィードバックした上りリンク中間周波数アナログ信号を処理してＤＰＤのフィードバックとして入力し、イーサネットケーブルから取得された上りリンク中間周波数アナログ信号を処理し、上りリンクベースバンド信号に変換してＢＢＵに送信する。ＥＩＰ装置により、ＢＢＵとＲＲＵの間の無線ベースバンド信号伝送を実現でき、それによって光ファイバーまたはマイクロ波伝送ネットワークを再敷設する必要があるのでネットワーク配置コストが高くなる問題を避けることができる。
【図面の簡単な説明】
【００３７】
【図１】本発明の実施形態に係る無線ベースバンドデータを伝送する方法のフローチャートである；
【図２】本発明の実施形態に係る無線ベースバンドデータを伝送する方法において下りリンクベースバンド信号を下りリンク中間周波数アナログ信号に変調するフローチャートである；
【図３】本発明の実施形態に係る無線ベースバンドデータを伝送する方法において上りリンク中間周波数アナログ信号を上りリンクベースバンド信号に変換するフローチャートである；
【図４】本発明の実施形態に係る無線ベースバンドデータを伝送する方法の別のフローチャートである；
【図５】本発明の実施形態に係る無線ベースバンドデータを伝送する方法のさらに別のフローチャートである；
【図６】本発明の実施形態に係る無線ベースバンドデータを伝送する装置の構造図である；
【図７】本発明の実施形態に係る無線ベースバンドデータを伝送する装置における下りリンクベースバンド信号処理モジュールの構造図である；
【図８】本発明の実施形態に係る無線ベースバンドデータを伝送する装置における上りリンクベースバンド信号生成モジュールの構造図である；
【図９】本発明の実施形態に係る無線ベースバンドデータを伝送する装置の別の構造図である；
【図１０】本発明の実施形態に係る無線ベースバンドデータを伝送する装置のさらに別の構造図である；
【図１１】本発明の実施形態に係る無線ベースバンドデータを伝送する装置のもう一つの構造図である；
【図１２】本発明の実施形態に係るＲＲＵの構造図である；
【図１３】本発明の実施形態に係るＲＲＵにおける下りリンク信号処理サブモジュールの構造である；
【図１４】本発明の実施形態に係るＲＲＵにおける下りリンク信号検出フィードバックサブモジュールの構造図である；
【図１５】本発明の実施形態に係るＲＲＵの別の構造である；
【図１６】本発明の実施形態に係るＲＲＵのさらに別の構造である；
【図１７】本発明の実施形態に係るＲＲＵのもう一つの構造である。
【発明を実施するための形態】
【００３８】
本明細書に記載される具体的な実施形態は、本発明を説明するためだけであるが、本発明を限定することに用いられるものではないと理解すべきである。
【００３９】
本発明の実施形態は、無線ベースバンドデータを伝送する方法を提供し、同時にイーサネット信号を伝送できる。
【００４０】
図１を参照すると、図１は本発明の実施形態に係る無線ベースバンドデータを伝送する方法のフローチャートである。
【００４１】
本実施形態に係る無線ベースバンドデータを伝送する方法は、以下のステップを含む。
【００４２】
ステップＳ１０において、ベースバンド処理ユニット（ＢＢＵ）から伝送された下りリンクベースバンド信号を受信し、下りリンクベースバンド信号を処理して下りリンク中間周波数アナログ信号に変調し、イーサネットケーブルに出力する。
【００４３】
本実施形態において、ＥＩＰ装置を提供し、それをＢＢＵとＲＲＵの間に置き、ＢＢＵから伝送された下りリンクベースバンドデータがケーブルまたは光ファイバーを介して当該ＥＩＰ装置の共通公衆無線インタフェース（ＣＰＲＩ）に接続される。しかも、実際の配置需要に応じて、ＢＢＵのマルチチャネル光ファイバーは、１つのＥＩＰ装置に接続されてよく、ＢＢＵは、複数のＥＩＰ装置に接続されてもよく、各光ファイバーが１つのＥＩＰ装置に接続する。同時に、１つのレイヤ２（Ｌａｙｅｒ２）イーサネット交換装置の下りリンクイーサネットポートとＥＩＰ装置の上りリンクイーサネットポートを接続することでき、ＥＩＰ装置の下りリンクイーサネットポートがＣＡＴ５Ｅ／６イーサネットケーブルを介して遠隔側のＲＲＵ装置に接続され、また、ＲＲＵ装置は、１つのイーサネット端末装置をカスケード接続することができる。
【００４４】
ＢＢＵからの下りリンクベースバンドデータがＥＩＰ装置のコモン・パブリック・ラジオ・インターフェース（ＣＰＲＩ：Ｃｏｍｍｏｎ  Ｐｕｂｌｉｃ  Ｒａｄｉｏ  Ｉｎｔｅｒｆａｃｅ）に入力され、光電変換後にベースバンドデータの送受信およびキャッシュを行われ、即ちそれをベースバンドデータ送受信処理およびＲＲＵ監視モジュールにキャッシュする。ＥＩＰ装置は、下りリンクベースバンド信号を抽出し、それを処理し、即ち低周波数の下りリンクベースバンド信号を下りリンク中間周波数アナログ信号に変調する。その後、変調された下りリンク中間周波数アナログ信号をイーサネットケーブルに出力し、イーサネットケーブルを介して伝送し、ＲＲＵ装置の受信の用に供する。
【００４５】
ステップＳ２０において、検出フィードバックされた上りリンク中間周波数アナログ信号をイーサネットケーブルから取得し、上りリンク中間周波数アナログ信号を処理する。
【００４６】
ＥＩＰ装置からイーサネットケーブルに出力された下りリンク中間周波数アナログ信号は、イーサネットケーブルのポートで伝送され、ＲＲＵ装置は、対応するポートから当該下りリンク中間周波数アナログ信号を受信し且つ処理して対応するアンテナに出力する。本実施形態において、ＲＲＵは、下りリンク中間周波数アナログ信号を受信した後、まずアップコンバージョン処理により下りリンク中間周波数アナログ信号を無線周波数信号に変換し、次に電力増幅器で無線周波数信号を増幅し、最後にデュプレックスフィルタを通してアンテナに送信する。
【００４７】
上りリンクにおいて、ＲＲＵ装置は、電力増幅器で増幅された無線周波数信号を結合検出を行い、結合検出後の無線周波数信号に対してダウンコンバージョン処理を行って上りリンク中間周波数アナログ信号に変換し、イーサネットケーブルの対応するポートに出力して伝送する。ＥＩＰ装置は、イーサネットケーブルからＲＲＵにより検出フィードバックされた上りリンク中間周波数アナログ信号を取得することができる。
【００４８】
ステップＳ３０において、処理後の上りリンク中間周波数アナログ信号をＤＰＤのフィードバックとして入力し、イーサネットケーブルから中間周波数アナログ信号を取得し、上りリンクベースバンド信号に変換し、ＢＢＵに送信する。
【００４９】
ＲＲＵから返された上りリンク中間周波数アナログ信号を取得した後、ＥＩＰ装置は、当該上りリンク中間周波数アナログ信号をさらに処理し、処理後の上りリンク中間周波数アナログ信号をＤＰＤのフィードバックとして入力し、イーサネットケーブルから中間周波数アナログ信号を取得し、低周波数のベースバンド信号即ち上りリンクベースバンド信号に変換し、その後変換された上りリンクベースバンド信号をＢＢＵに送信することで、ＢＢＵとＲＲＵの間の無線ベースバンド信号伝送を完了する。
【００５０】
本発明の実施形態において、ＥＩＰ装置によりＢＢＵから伝送された下りリンクベースバンド信号を受信し、下りリンクベースバンド信号を処理して下りリンク中間周波数アナログ信号に変調し、イーサネットケーブルに出力する。その後、イーサネットケーブルからＲＲＵが下りリンク無線周波数アナログ信号に対する検出に基づいてフィードバックした上りリンク中間周波数アナログ信号を取得し、フィードバックされた上りリンク中間周波数アナログ信号を処理してＤＰＤのフィードバックとして入力する。イーサネットケーブルから取得された上りリンク中間周波数アナログ信号を処理し、上りリンクベースバンド信号に変換してＢＢＵに送信する。ＥＩＰ装置により、ＢＢＵとＲＲＵの間の無線ベースバンド信号伝送を実現でき、それによって光ファイバーまたはマイクロ波伝送ネットワークを再敷設する必要があるのでネットワーク配置コストが高くなる問題を避けることができる。
【００５１】
図２を参照すると、図２は本発明の実施形態に係る無線ベースバンドデータを伝送する方法において下りリンクベースバンド信号を下りリンク中間周波数アナログ信号に変調するフローチャートである。
【００５２】
前記実施形態において、ステップＳ１０は、
下りリンクベースバンド信号に対してデジタルアップコンバージョン処理を行って下りリンク中間周波数デジタル信号に変換するステップＳ１１と、
下りリンク中間周波数デジタル信号に対してピーククリッピング、デジタルプリディストーションおよびデジタル−アナログ変換を行って下りリンク中間周波数アナログ信号に変調するステップＳ１２とを含む。
【００５３】
ＥＩＰ装置は、ベースバンドデータ送受信処理およびＲＲＵ監視モジュールから下りリンクベースバンド信号を抽出した後、まず当該下りリンクベースバンド信号に対してデジタルアップコンバージョン処理を行い、即ち低周波数の下りリンクベースバンド信号を中間周波数の下りリンク中間周波数デジタル信号に変換する。次に、変換された下りリンク中間周波数デジタル信号に対してピーククリッピング、デジタルプリディストーションおよびデジタル−アナログ変換を行って下りリンク中間周波数アナログ信号に変調し、上記変調された下りリンク中間周波数アナログ信号が最終イーサネットケーブルのポートに出力されて伝送され、ＲＲＵの受信の用に供される。
【００５４】
下りリンクベースバンド信号に対してデジタルアップコンバージョン処理を行って下りリンク中間周波数デジタル信号に変換し、そして下りリンク中間周波数デジタル信号に対してピーククリッピング、デジタルプリディストーションおよびデジタル−アナログ変換を行って下りリンク中間周波数アナログ信号に変調し、それをイーサネットケーブルのポートに出力して伝送するようにし、ＲＲＵの受信の用に供し、さらにＥＩＰ装置によりＢＢＵの無線ベースバンド信号を伝送するために前提を提供する。
【００５５】
図３を参照すると、図３は本発明の実施形態に係る無線ベースバンドデータを伝送する方法において上りリンク中間周波数アナログ信号を上りリンクベースバンド信号に変換するフローチャートである。
【００５６】
前記実施形態において、ステップＳ３０は、
上りリンク中間周波数アナログ信号をバンドパスフィルタを通してフィルタリングし、アナログ−デジタル変換を行って、上りリンク中間周波数デジタル信号を取得するステップＳ３１と、
上りリンク中間周波数デジタル信号に対してダウンコンバージョン処理を行って上りリンクベースバンド信号に変換するステップＳ３２とを含む。
【００５７】
ＥＩＰ装置は、イーサネットからＲＲＵから返された上りリンク中間周波数アナログ信号を取得した後、まず当該上りリンク中間周波数アナログ信号をバンドパスフィルタを通してフィルタリングし、フィルタリングされた上りリンク中間周波数アナログ信号に対してアナログ−デジタル変換を行って上りリンク中間周波数デジタル信号を取得する。次に、上りリンク中間周波数デジタル信号に対してダウンコンバージョン処理を行って低周波数の上りリンクベースバンド信号に変換し、当該変換された上りリンクベースバンド信号が最終ＢＢＵに送信され、ＢＢＵとＲＲＵの間の無線ベースバンドデータ伝送を完了する。
【００５８】
上りリンク中間周波数アナログ信号をバンドパスフィルタを通してフィルタリングし、アナログ−デジタル変換を行って、上りリンク中間周波数デジタル信号を取得し、上りリンク中間周波数デジタル信号に対してダウンコンバージョン処理を行って上りリンクベースバンド信号に変換し、ＢＢＵに送信してＢＢＵとＲＲＵの間の無線ベースバンドデータ伝送を完了するために供し、ＥＩＰ装置によりＢＢＵとＲＲＵの間の無線ベースバンド信号伝送を完了することを実現できることをさらに保証する。
【００５９】
図４を参照すると、図４は本発明の実施形態に係る無線ベースバンドデータを伝送する別のフローチャートである。
【００６０】
前記実施形態に基づいて、ステップＳ１０におおけるベースバンド処理ユニットＢＢＵから伝送された下りリンクベースバンド信号の受信を実行した後、当該方法は、
下りリンクベースバンド信号からクロック信号を抽出し、イーサネットケーブルに出力し、ＲＲＵが当該クロック信号を取得してバンドパスフィルタを通してフィルタリングして基準クロック信号を取得して位相ロックループに入力するために供するステップＳ４０をさらに含む。
【００６１】
本実施形態において、ＥＩＰ装置は、ＢＢＵ装置から伝送された下りリンクベースバンド信号を受信し、ベースバンドデータ送受信処理およびＲＲＵ監視モジュールにキャッシュした後、当該下りリンクベースバンド信号からクロック信号を抽出して、イーサネットケーブルの対応するポートに出力して伝送するが、ＲＲＵは、イーサネットケーブルの当該ポートからクロック信号を受信し、バンドパスフィルタを通してフィルタリングして基準クロック信号を取得し、当該クロック信号が最終位相ロックループに入力され、位相ロックループによってＲＲＵ装置の内部のアクティブデバイスに基準クロックを提供する。
【００６２】
ＥＩＰ装置により受信された下りリンクベースバンド信号からクロック信号を抽出し、イーサネットケーブルに出力し、ＲＲＵが当該クロック信号を受信してバンドパスフィルタを通してフィルタリングして基準クロック信号を取得して位相ロックループに入力するために供し、位相ロックループによってＲＲＵ装置の内部のアクティブデバイスに基準クロックを提供することにより、ＥＩＰ装置のデータ処理および伝送機能を保証する前提で、ＥＩＰ装置の機能をさらに向上させる。
【００６３】
図５を参照すると、図５は本発明の実施形態に係る無線ベースバンドデータを伝送する方法のさらに別のフローチャートである。
【００６４】
前記実施形態に基づいて、ステップＳ１０を実行するとともに、当該方法は、
イーサネットによって伝送されるイーサネット信号を受信し、イーサネットケーブルに出力し、ＲＲＵがイーサネットケーブルからイーサネット信号を受信してイーサネット交換を行い、無線ＬＡＮインタフェースを介して出力するために供するステップＳ５０をさらに含む。
【００６５】
本実施形態において、ＥＩＰ装置は、パワーオーバーイーサネット（ＰＯＥ：Ｐｏｗｅｒ  Ｏｖｅｒ  Ｅｔｈｅｒｎｅｔ）機能をさらにサポートすることができ、当該機能によりＲＲＵ装置に電力を供給することができる。イーサネット交換モジュールは、ＥＩＰ装置のベースバンドデータ送受信処理およびＲＲＵ監視モジュールと互いに接続し、且つイーサネット交換モジュールが外部スイッチに上りリンク接続される。
【００６６】
ＥＩＰ装置は、ＢＢＵから伝送された下りリンクベースバンド信号を受信するとともに、イーサネットからのイーサネット信号を受信して、イーサネットケーブルに出力することができる。ＲＲＵ装置は、イーサネットケーブルからイーサネット信号を受信した後、イーサネット交換を行い、内蔵されたカスケードイーサネットポートを介して外部の他のイーサネット端末装置を接続する。
【００６７】
本実施形態において、ＥＩＰ装置は、イーサネット信号をイーサネットケーブルに出力し、当該イーサネット信号がイーサネットケーブルで、処理されて変調された下りリンク中間周波数アナログ信号と周波数分割多重伝送を行う。即ち１０００Ｂａｓｅ  Ｔと１０００Ｂａｓｅ  ＴＸの２つの異なる標準の場合で、各種のアナログ信号は、異なる周波数で同じイーサネットケーブルで伝送され、イーサネット信号が１０００Ｂａｓｅ  Ｔ標準におけるインターフェースのイーサネット物理層に１２５メガヘルツ（Ｍｈｚ）の伝送レートで伝送されることができるが、無線アナログ信号が１３０Ｍｈｚ〜１８０Ｍｈｚの周波数バンド範囲に伝送されることができ、無線アナログ信号が各種の無線規格で組み合わせられた多規格無線アナログ信号、即ち広帯域符号分割多元接続／ユニバーサル移動通信システム／長期発展型（ＷＣＤＭＡ／ＧＳＭ／ＬＴＥ）の３つの規格における２種類または３種類の無線アナログ信号、または１種類の無線規格の無線信号であってよく、クロック周波数が６１．４４Ｍｈｚであり、これらのアナログ中間周波数信号が周波数において隔離され、同じイーサネットで同時に伝送する条件を備える。
【００６８】
ＥＩＰ装置によりＢＢＵから伝送された無線ベースバンド信号を受信するとともに、ＥＩＰ装置によりイーサネットによって伝送されたイーサネット信号を受信して、イーサネットケーブルに出力し、ＲＲＵがイーサネットケーブルからイーサネット信号を受信してイーサネット交換を行い、カスケードイーサネットインターフェイスを介して出力するために供して、ＥＩＰ装置の同時にイーサネット信号と多規格無線ベースバンド信号を伝送できる機能を実現する。
【００６９】
また、本発明の実施形態は、無線ベースバンドデータを伝送する装置を提供する。
【００７０】
図６を参照すると、図６は本発明の実施形態に係る無線ベースバンドデータを伝送する装置の構造図である。
【００７１】
本実施形態に係る無線ベースバンドデータを伝送する装置は、
ＢＢＵから伝送された下りリンクベースバンド信号を受信し、下りリンクベースバンド信号を処理して下りリンク中間周波数アナログ信号に変調し、イーサネットケーブルに出力するように構成される下りリンクベースバンド信号処理モジュール１０と、
検出フィードバックされた上りリンク中間周波数アナログ信号をイーサネットケーブルから取得して、処理するように構成される検出フィードバックされた上りリンク中間周波数アナログ信号取得および処理モジュール２０と、
処理後の上りリンク中間周波数アナログ信号をデジタルプリディストーション（ＤＰＤ）のフィードバックとして入力し、イーサネットケーブルから中間周波数アナログ信号を取得し、上りリンクベースバンド信号に変換するように構成される上りリンクベースバンド信号生成モジュール３０と、
上りリンクベースバンド信号をＢＢＵに送信するように構成される上りリンクベースバンド信号送信モジュール４０とを含む。
【００７２】
本実施形態において、ＥＩＰ装置を提供し、それをベースバンド処理ユニット（ＢＢＵ）とＲＲＵの間に置き、ＢＢＵから伝送された下りリンクベースバンドデータがケーブルまたは光ファイバーを介して当該ＥＩＰ装置のコモン・パブリック・ラジオ・インターフェース（ＣＰＲＩ）に接続される。且つ、実際の配置需要に応じて、ＢＢＵのマルチチャネル光ファイバーは、１つのＥＩＰ装置と接続でき、ＢＢＵは、複数のＥＩＰ装置と接続することもでき、光ファイバーごとに１つのＥＩＰ装置が接続される。同時に、１つのＬａｙｅｒ２イーサネット交換装置の下りリンクイーサネットポートをＥＩＰ装置の上りリンクイーサネットポートに接続し、ＥＩＰ装置の下りリンクイーサネットポートがＣＡＴ５Ｅ／６イーサネットケーブルを介して遠隔側のＲＲＵ装置に接続され、また、ＲＲＵ装置は、１つのイーサネット端末をカスケード接続することができる。
【００７３】
ＢＢＵからの下りリンクベースバンドデータをＥＩＰ装置のＣＰＲＩインターフェースに入力し、光電変換後にベースバンドデータの送受信およびキャッシュを行われ、即ちそれをベースバンドデータ送受信処理およびＲＲＵ監視モジュールに送信する。ＥＩＰ装置は、下りリンクベースバンド信号を抽出した後、下りリンクベースバンド信号処理モジュール１０により処理し、即ち低周波数の下りリンクベースバンド信号を下りリンク中間周波数アナログ信号に変調し、その後変調された下りリンク中間周波数アナログ信号をイーサネットケーブルに出力し、そしてイーサネットケーブルを介して伝送し、ＲＲＵ装置の受信の用に供する。
【００７４】
ＥＩＰ装置からイーサネットケーブルに出力された下りリンク中間周波数アナログ信号は、イーサネットケーブルのポートで伝送され、ＲＲＵ装置は、対応するポートから当該下りリンク中間周波数アナログ信号を受信し、且つ下りリンク中間周波数アナログ信号を処理して対応するアンテナに出力することができる。本実施形態において、ＲＲＵは、下りリンク中間周波数アナログ信号を受信した後、まず下りリンク中間周波数アナログ信号をアップコンバージョン処理により無線周波数信号に変換し、次に電力増幅器で無線周波数信号を増幅し、最後にデュプレックスフィルタを通してアンテナに送信する。
【００７５】
上りリンクにおいて、ＲＲＵ装置は、電力増幅器で増幅された無線周波数信号に対して結合検出を行い、その後、結合検出後の無線周波数信号に対して、ダウンコンバージョン処理を行って上りリンク中間周波数アナログ信号に変換し、イーサネットケーブルの対応するポートに出力して伝送する。ＥＩＰ装置は、検出フィードバックされた上りリンク中間周波数アナログ信号取得および処理モジュール２０によりイーサネットケーブルからＲＲＵにより検出フィードバックされた上りリンク中間周波数アナログ信号を取得することができる。
【００７６】
ＲＲＵから返された上りリンク中間周波数アナログ信号を取得した後、ＥＩＰ装置の上りリンクベースバンド信号生成モジュール３０は、当該上りリンク中間周波数アナログ信号をさらに処理し、処理された上りリンク中間周波数アナログ信号をデジタルプリディストーション（ＤＰＤ）のフィードバックとして入力し、イーサネットケーブルから中間周波数アナログ信号を取得し、それを低周波数のベースバンド信号、即ち上りリンクベースバンド信号に変換し、その後、変換された上りリンクベースバンド信号を上りリンクベースバンド信号送信モジュール４０によりＢＢＵに送信することにより、ＢＢＵとＲＲＵの間の無線ベースバンド信号伝送を完了する。
【００７７】
本実施形態において、ＥＩＰ装置によりベースバンド処理ユニット（ＢＢＵ）から伝送された下りリンクベースバンド信号を受信し、下りリンクベースバンド信号を処理して下りリンク中間周波数アナログ信号に変調し、イーサネットケーブルに出力し、その後、イーサネットケーブルからＲＲＵが下りリンク無線周波数アナログ信号に対する検出に基づいてフィードバックされた上りリンク中間周波数アナログ信号を取得し、フィードバックされた上りリンク中間周波数アナログ信号を処理してデジタルプリディストーション（ＤＰＤ）のフィードバックとして入力し、イーサネットケーブルから取得された上りリンク中間周波数アナログ信号を処理し、上りリンクベースバンド信号に変換してＢＢＵに送信する。ＥＩＰ装置により、ＢＢＵとＲＲＵの間の無線ベースバンド信号伝送を実現でき、それによって光ファイバーまたはマイクロ波伝送ネットワークを再敷設する必要があるのでネットワーク配置コストが高くなる問題を避けることができる。
【００７８】
図７を参照すると、図７は本発明の実施形態に係る無線ベースバンドデータを伝送する装置における下りリンクベースバンド信号処理モジュールの構造図である。
【００７９】
前記実施形態において、下りリンクベースバンド信号処理モジュール１０は、
下りリンクベースバンド信号に対してデジタルアップコンバージョン処理を行って下りリンク中間周波数デジタル信号に変換するように構成されるアップコンバージョン処理ユニット１１と、
下りリンク中間周波数デジタル信号に対してピーククリッピング、デジタルプリディストーションおよびデジタル−アナログ変換を行って下りリンク中間周波数アナログ信号に変調するように構成される変調ユニット１２とを含む。
【００８０】
ＥＩＰ装置は、ベースバンドデータ送受信処理およびＲＲＵ監視モジュールから下りリンクベースバンド信号を抽出した後、まずアップコンバージョン処理ユニット１１により当該下りリンクベースバンド信号に対してアップコンバージョン処理を行い、即ち低周波数の下りリンクベースバンド信号を中間周波数の下りリンク中間周波数デジタル信号に変換する。次に、変調ユニット１２は、変換された下りリンク中間周波数デジタル信号に対してピーククリッピング、デジタルプリディストーションおよびデジタル−アナログ変換を行って下りリンク中間周波数アナログ信号に変調し、最終にイーサネットケーブルポートに出力して伝送し、ＲＲＵの受信の用に供する。
【００８１】
下りリンクベースバンド信号に対してデジタルアップコンバージョン処理を行って下りリンク中間周波数デジタル信号に変換し、そして下りリンク中間周波数デジタル信号に対してピーククリッピング、デジタルプリディストーションおよびデジタル−アナログ変換を行って下りリンク中間周波数アナログ信号に変調し、それをイーサネットケーブルのポートに出力して伝送するようにし、ＲＲＵの受信の用に供し、さらにＥＩＰ装置によりＢＢＵの無線ベースバンド信号を伝送するために前提を提供する。
【００８２】
図８を参照すると、図８は本発明の実施形態に係る無線ベースバンドデータを伝送する装置における上りリンクベースバンド信号生成モジュールの構造図である。
【００８３】
前記実施形態において、上りリンクベースバンド信号生成モジュール３０は、
上りリンク中間周波数アナログ信号をバンドパスフィルタを通してフィルタリングし、デジタル−アナログ変換を行い、上りリンク中間周波数デジタル信号を取得するように構成される上りリンク中間周波数デジタル信号生成ユニット３１と、
上りリンク中間周波数デジタル信号に対してダウンコンバージョン処理を行って上りリンクベースバンド信号に変換するように構成されるダウンコンバージョン処理ユニット３２とを含む。
【００８４】
ＥＩＰ装置は、イーサネットケーブルからＲＲＵから返された上りリンク中間周波数アナログ信号を取得した後、まず上りリンク中間周波数デジタル信号生成ユニット３１により当該上りリンク中間周波数アナログ信号をバンドパスフィルタを通してフィルタリングし、フィルタリングされた上りリンク中間周波数アナログ信号をアナログ−デジタル変換を行い、上りリンク中間周波数デジタル信号を取得する。次に、ダウンコンバージョン処理ユニット３２が上りリンク中間周波数デジタル信号をダウンコンバージョンを行い、それを低周波数の上りリンクベースバンド信号に変換し、当該変換された上りリンクベースバンド信号を最終にＢＢＵに送信し、ＢＢＵとＲＲＵの間の無線ベースバンドデータ伝送を完了する。
【００８５】
上りリンク中間周波数アナログ信号をバンドパスフィルタを通してフィルタリングし、アナログ−デジタル変換を行い、上りリンク中間周波数デジタル信号を取得し、上りリンク中間周波数デジタル信号に対してダウンコンバージョン処理を行って上りリンクベースバンド信号に変換し、ＢＢＵに送信するＢＢＵとＲＲＵの間の無線ベースバンドデータの伝送を完了するために供して、ＥＩＰ装置によりＢＢＵとＲＲＵの間の無線ベースバンド信号伝送を完了することを実現できることをさらに保証する。
【００８６】
図９を参照すると、図９は本発明の実施形態に係る無線ベースバンドデータを伝送する装置の別の構造図である。
【００８７】
前記実施形態に基づいて、無線ベースバンドデータを伝送する装置は、
下りリンクベースバンド信号からクロック信号を抽出し、イーサネットに出力し、ＲＲＵが当該クロック信号を受信してバンドパスフィルタを通してフィルタリングして基準クロック信号を取得して位相ロックループに入力するために供するに構成されるクロック信号抽出および出力モジュール５０をさらに含む。
【００８８】
本実施形態において、ＥＩＰ装置は、ＢＢＵから伝送された下りリンクベースバンド信号を受信し、ベースバンドデータ送受信処理およびＲＲＵ監視モジュールにキャッシュした後、クロック信号抽出および出力モジュール５０により当該下りリンクベースバンド信号からクロック信号を抽出し、イーサネットケーブルの対応するポートに出力して伝送し、ＲＲＵは、イーサネットケーブルの当該ポートからクロック信号を受信し、バンドパスフィルタを通してフィルタリングして基準クロック信号を取得し、当該基準クロック信号が最終位相ロックループに入力され、そして位相ロックループによってＲＲＵ装置の内部のアクティブデバイスに基準クロックを提供する。
【００８９】
ＥＩＰ装置により受信された下りリンクベースバンド信号からクロック信号を抽出し、イーサネットケーブルに出力し、ＲＲＵが当該クロック信号を受信してバンドパスフィルタを通してフィルタリングして基準クロック信号を取得して位相ロックループに入力するように供し、そして位相ロックループによってＲＲＵ装置の内部のアクティブデバイスに基準クロックを提供し、それによってＥＩＰ装置のデータ処理および伝送機能を保証する前提で、ＥＩＰ装置の機能をさらに向上させる。
【００９０】
図１０を参照すると、図１０は本発明の実施形態に係る無線ベースバンドデータを伝送する装置のさらに別の構造図である。
【００９１】
前記実施形態に基づいて、無線ベースバンドデータを伝送する装置は、
イーサネットによって伝送されたイーサネット信号を受信し、イーサネットケーブルに出力し、ＲＲＵがイーサネットからイーサネット信号を受信した後にイーサネット交換を行い、カスケードイーサネットインターフェイスを介して出力するように構成されるイーサネット信号出力モジュール６０をさらに含む。
【００９２】
本実施形態において、ＥＩＰ装置は、さらにイーサネットのＰＯＥ機能をサポートすることができ、当該機能によりＲＲＵ装置に電力を供給することができる。イーサネット交換モジュールは、ＥＩＰ装置のベースバンドデータ送受信処理およびＲＲＵ監視モジュールと互いに接続し、且つイーサネット交換モジュールが外部スイッチに上りリンク接続される。
【００９３】
ＥＩＰ装置は、ＢＢＵから伝送された下りリンクベースバンド信号を受信するとともに、イーサネットからのイーサネット信号を受信し、そしてイーサネット信号出力モジュール６０により当該イーサネット信号をイーサネットケーブルに出力することができ、ＲＲＵ装置は、イーサネットケーブルからイーサネット信号を受信して内蔵されたカスケードイーサネットポートを介して外部の他のイーサネット端末装置を接続する。
【００９４】
本実施形態において、ＥＩＰ装置は、イーサネット信号をイーサネットケーブルに出力した後、当該イーサネット信号がイーサネットケーブルで処理されて変調された下りリンク中間周波数アナログ信号と周波数分割多重伝送を行う。即ち１０００Ｂａｓｅ  Ｔと１０００Ｂａｓｅ  ＴＸの２つの異なる標準の場合で、多種のアナログ信号は、異なる周波数で同じイーサネットケーブルに伝送され、イーサネット信号が１０００Ｂａｓｅ  Ｔ標準におけるインターフェースのイーサネット物理層に１２５メガヘルツ（Ｍｈｚ）の伝送レートで伝送されることができるが、無線アナログ信号が１３０Ｍｈｚ〜１８０Ｍｈｚの周波数バンド範囲に伝送されることができ、無線アナログ信号が多種の無線規格で組み合わせられた多規格無線アナログ信号、即ちＷＣＤＭＡ／ＧＳＭ／ＬＴＥの３つの標準における２種類または３種類の無線アナログ信号、１種類の無線規格の無線信号であってよく、クロック周波数が６１．４４Ｍｈｚであり、これらのアナログ中間周波数信号が周波数において隔離され、同じイーサネットで同時に伝送する条件を備える。
【００９５】
ＥＩＰ装置によりＢＢＵから伝送された無線ベースバンド信号を受信するとともに、ＥＩＰ装置によりイーサネットによって伝送されたイーサネット信号を受信し、イーサネットケーブルに出力し、ＲＲＵがイーサネットケーブルからイーサネット信号を受信してイーサネット交換を行い、カスケードイーサネットインターフェイスを介して出力するために供し、ＥＩＰ装置の同時にイーサネット信号と多規格無線ベースバンド信号を伝送できる機能を実現する。
【００９６】
図１１を参照すると、図１１は本発明の実施形態に係る無線ベースバンドデータを伝送する装置のもう一つの構造図である。
【００９７】
前記実施形態に基づいて、無線ベースバンドデータを伝送する装置は、
イーサネットケーブルに電流および電圧を供給し、および遠隔側のＲＲＵに電力を供給するように構成されるＰＳＥおよびイーサネット交換モジュール７０をさらに含む。
【００９８】
本実施形態において、無線ベースバンドデータを伝送する装置は、イーサネットケーブルに電流及び電圧を供給し、且つ遠隔側のＲＲＵに電力を供給するように構成されるＰＳＥおよびイーサネット交換モジュール７０をさらに含む。
【００９９】
本発明の実施形態は、さらに無線遠隔ユニット（ＲＲＵ）を提供する。
【０１００】
図１２を参照すると、図１２は本発明の実施形態に係るＲＲＵの構造図でる。
【０１０１】
本実施形態に係る無線遠隔ユニット（ＲＲＵ）は、
イーサネットケーブルから下りリンクアナログ中間周波数信号を取得し、下りリンク無線周波数信号に変換し、変換された下りリンク無線周波数信号をアンテナポートを介して出力するように構成される下りリンク信号処理サブモジュール１０１と、
アンテナポートからフィードバックされた上りリンク無線周波数信号を受信し、上りリンク中間周波数アナログ信号に変換し、イーサネットケーブルに出力するように構成される上りリンク信号処理サブモジュール１０２と、
下りリンク無線周波数信号を検出し、検出された信号に対してダウンコンバージョン処理を行って上りリンクアナログ中間周波数信号に変換してイーサネットケーブルに出力するように構成される下りリンク信号検出フィードバックサブモジュール１０３とを含む。
【０１０２】
ＥＩＰ装置からイーサネットに出力された下りリンク中間周波数アナログ信号は、イーサネットケーブルのポートで伝送され、無線遠隔ユニット（ＲＲＵ）の下りリンク信号処理サブモジュール１０１は、対応するから当該下りリンク中間周波数アナログ信号を受信し、且つ下りリンク中間周波数アナログ信号を処理して対応するアンテナに出力することができる。
【０１０３】
本実施形態において、上りリンクにおいて、ＲＲＵの上りリンク信号処理サブモジュール１０２は、アンテナポートから下りリンク中間周波数アナログ信号に基づいてフィードバックされた上りリンク無線周波数信号を受信し、上りリンク中間周波数アナログ信号に変換し、イーサネットケーブルに出力し、同時に、ＲＲＵの下りリンク信号検出フィードバックサブモジュール１０３は、電力増幅器で増幅された無線周波数信号を結合検出を行い、その後結合検出後の無線周波数信号に対してダウンコンバージョン処理を行って上りリンク中間周波数アナログ信号に変換し、イーサネットケーブルの対応するポートに出力して伝送する。
【０１０４】
図１３を参照すると、図１３は本発明の実施形態に係るＲＲＵにおける下りリンク信号処理サブモジュールの構造図である。
【０１０５】
前記実施形態において、下りリンク信号処理サブモジュール１０１は、
イーサネットケーブルからバンドパスフィルによりフィルタリングされた下りリンクアナログ中間周波数信号を取得するように構成される取得ユニット１０１１と、
フィルタリングされた下りリンクアナログ中間周波数信号に対して上りリ変換処理を行って下りリンク無線周波数信号に変換するように構成されるアップコンバージョン処理ユニット１０１２と、
電力増幅器で下りリンク無線周波数信号を増幅し、増幅された下りリンク無線周波数信号をデュプレックスフィルタを通してフィルタリングしてアンテナに出力するように構成される増幅および出力ユニット１０１３とを含む。
【０１０６】
ＥＩＰ装置からイーサネットケーブルに出力された下りリンク中間周波数アナログ信号がイーサネットケーブルのポートで伝送された後、取得ユニット１０１１によりイーサネットケーブルからバンドパスフィルタを通してフィルタリングされた下りリンクアナログ中間周波数信号を取得し、その後、アップコンバージョン処理ユニット１０１２によって、フィルタリング後の下りリンクアナログ中間周波数信号に対してアップコンバージョン処理を行い、それを下りリンク周波数信号に変換し、最後に増幅および出力ユニット１０１３により、電力増幅器で変換された下りリンク無線周波数信号を増幅し、増幅された下りリンク無線周波数信号をデュプレックスフィルタを通してフィルタリングしてアンテナポートに出力する。
【０１０７】
本発明の実施形態に係るＲＲＵに基づいて、上りリンク信号処理サブモジュール１０２は、さらに、
アンテナポートからフィードバックされた上りリンク無線周波数信号を受信し、デュプレックスフィルタを通してフィルタリングして、低雑音増幅およびダウンコンバージョン処理により上りリンク中間周波数アナログ信号に変換し、イーサネットケーブルに出力するように構成される。
【０１０８】
ＲＲＵの上りリンク信号処理サブモジュール１０２は、アンテナポートから下りリンク中間周波数アナログ信号に基づいてフィードバックされた上りリンク無線周波数信号を受信し、上りリンク中間周波数アナログ信号に変換し、イーサネットケーブルに出力し、具体的には、フィードバックされた上りリンク無線周波数信号を受信した後、まずそれをデュプレックスフィルタを通してフィルタリング、低雑音増幅処理を行い、次にダウンコンバージョン処理を行って上りリンク中間周波数アナログ信号に変換し、その後処理された上りリンク中間周波数アナログ信号をイーサネットケーブルに出力する。
【０１０９】
図１４を参照すると、図１４は本発明の実施形態に係るＲＲＵにおける下りリンク信号検出フィードバックサブモジュールの構造図である。
【０１１０】
下りリンク信号検出フィードバックサブモジュール１０３は、
電力増幅器で増幅された前記下りリンク無線周波数信号を検出するように構成される検出ユニット１０３１と、
検出された下りリンク無線周波数信号に対してダウンコンバージョン処理を行って上りリンクアナログ中間周波数信号に変換し、イーサネットケーブルに出力するように構成されるダウンコンバージョン処理および出力ユニット１０３２とを含む。
【０１１１】
ＲＲＵがイーサネットケーブルから下りリンク無線周波数信号を取得した後、ＲＲＵの下りリンク信号検出フィードバックサブモジュール１０３は、電力増幅後の無線周波数信号を結合検出を行い、即ちまず検出ユニット１０３１により、電力増幅器で増幅された前記下りリンク無線周波数信号を検出し、次にダウンコンバージョン処理および出力ユニット１０３２により検出された下りリンク無線周波数信号に対してダウンコンバージョン処理を行って上りリンクアナログ中間周波数信号に変換し、イーサネットケーブルの対応するポートに出力して伝送する。
【０１１２】
図１５〜図１７を参照すると、図１５は本実施形態に係るＲＲＵの別の構造図である。図１６は、本発明の実施形態に係るＲＲＵのさらに別の構造図である。図１７は本発明の実施形態に係るＲＲＵのもう一つの構造図である。
【０１１３】
本発明の実施形態に係るＲＲＵの一つの実施形態に基づいて、当該ＲＲＵは、
イーサネットケーブルから取得された下りリンクアナログ中間周波数信号をバンドパスフィルタを通してフィルタリングして基準クロック信号を取得して位相ロックループに入力するように構成されるクロック取得サブモジュール１０４と、
内部のイーサネット交換モジュールに接続され、上りリンクおよび下りリンクＷＩＦＩ信号を処理するように構成されるＷＬＡＮ信号処理サブモジュール１０５と、
内部のイーサネット交換モジュールに接続され、無線遠隔ユニット（ＲＲＵ）に対して保守制御および監視を行うように構成される制御監視サブモジュール１０６と、
イーサネットケーブルから電流および電圧を抽出し、無線遠隔ユニット（ＲＲＵ）の全てのアクティブモジュールに電力を供給するように構成されるＰＤサブモジュール１０７とをさらに含む。
【０１１４】
ＥＩＰ装置は、ＢＢＵから伝送された下りリンクベースバンド信号を受信し、ベースバンドデータ送受信処理およびＲＲＵ監視モジュールにキャッシし、下りリンクベースバンド信号からクロック信号を抽出し、イーサネットケーブルの対応するポートに出力して伝送し、ＲＲＵは、クロック取得サブモジュール１０４によりイーサネットケーブルの当該ポートからクロック信号を受信し、バンドパスフィルタを通してフィルタリングして基準クロック信号を取得し、当該基準クロック信号が最終に位相ロックループに入力され、位相ロックループによってＲＲＵ装置の内部のアクティブデバイスに基準クロックを提供する。
【０１１５】
ＲＲＵは、内部のイーサネットスイッチモジュールに接続され、上りリンクおよび下りリンクＷＩＦＩ信号を処理するように構成されるＷＬＡＮ信号処理サブモジュール１０５、無線遠隔ユニット（ＲＲＵ）に対して保守制御および監視を行うように構成される制御監視サブモジュール１０６をさらに含む。
【０１１６】
ＲＲＵは、ＰＤサブモジュール１０７をさらに含み、当該ＰＤサブモジュール１０７によりイーサネットケーブルから電流および電圧を抽出し、且つＲＲＵの全てのアクティブデバイスに電力を供給する。
【０１１７】
以上は、本発明の好ましい実施形態に過ぎなく、このため本発明の特許保護範囲を制限することではなく、本発明の説明書および図面内容を利用して行われる同等構造または同等プロセス変換は、直接または間接に他の関連する技術分野に運用され、同様に本発明の特許保護範囲に含まれる。
【産業上の利用可能性】
【０１１８】
本実施形態は、イーサネット信号＋中間周波数信号＋パワーオーバーイーサネット（ＥＩＰ：Ｅｔｈｅｒｎｅｔ  Ｓｉｇｎａｌ＋ＩＦ  Ｓｉｇｎａｌ＋ＰｏＥ）装置によりベースバンド処理ユニット（ＢＢＵ）から伝送された下りリンクベースバンド信号を受信し、下りリンクベースバンド信号を処理し、下りリンク中間周波数アナログ信号に変調し、イーサネットケーブルに出力し、その後、イーサネットケーブルから無線遠隔ユニット（ＲＲＵ）が下りリンク無線周波数アナログ信号に対する検出に基づいてフィードバックされた上りリンク中間周波数アナログ信号を取得し、フィードバックされた上りリンク中間周波数アナログ信号を処理してデジタルプリディストーション（ＤＰＤ）のフィードバックとして入力し、イーサネットケーブルから取得された上りリンク中間周波数アナログ信号を処理し、上りリンクベースバンド信号に変換してＢＢＵに送信する。ＥＩＰ装置により、ＢＢＵとＲＲＵの間の無線ベースバンド信号伝送を実現でき、それによって光ファイバーまたはマイクロ波伝送ネットワークを再敷設するのでネットワーク配置コストが高くなる問題を避けることができる。
【図１】
2016511959.tif 000003
【図２】
2016511959.tif 000004
【図３】
2016511959.tif 000005
【図４】
2016511959.tif 000006
【図５】
2016511959.tif 000007
【図６】
2016511959.tif 000008
【図７】
2016511959.tif 000009
【図８】
2016511959.tif 000010
【図９】
2016511959.tif 000011
【図１０】
2016511959.tif 000012
【図１１】
2016511959.tif 000013
【図１２】
2016511959.tif 000014
【図１３】
2016511959.tif 000015
【図１４】
2016511959.tif 000016
【図１５】
2016511959.tif 000017
【図１６】
2016511959.tif 000018
【図１７】
2016511959.tif 000019
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
無線ベースバンドデータを伝送する方法であって、
ベースバンド処理ユニット（ＢＢＵ）から伝送された下りリンクベースバンド信号を受信し、前記下りリンクベースバンド信号を処理し、下りリンク中間周波数アナログ信号に変調して、イーサネットケーブルに出力することと、
検出フィードバックされた上りリンク中間周波数アナログ信号を前記イーサネットケーブルから取得し、前記上りリンク中間周波数アナログ信号を処理することと、
処理後の前記上りリンク中間周波数アナログ信号をデジタルプリディストーション（ＤＰＤ）のフィードバックとして入力し、前記イーサネットケーブルから中間周波数アナログ信号を取得し、取得された中間周波数アナログ信号を上りリンクベースバンド信号に変換してＢＢＵに送信することと、を含む、方法。
【請求項２】
前記上りリンク中間周波数アナログ信号は、無線遠隔ユニット（ＲＲＵ）がイーサネットケーブルから受信された前記下りリンク中間周波数アナログ信号に対してダウンコンバージョン処理を行って無線周波数信号を取得し、前記無線周波数信号を増幅し、増幅された無線周波数信号を検出して検出無線周波数信号を取得し、前記検出無線周波数信号に対してダウンコンバージョン処理を行うことで取得されるものであることを特徴とする
請求項１に記載の方法。
【請求項３】
下りリンクベースバンド信号を処理し、下りリンク中間周波数アナログ信号に変調することは、
前記下りリンクベースバンド信号に対してデジタルアップコンバージョン処理を行って下りリンク中間周波数デジタル信号に変換することと、
前記下りリンク中間周波数デジタル信号に対してピーククリッピング、デジタルプリディストーションおよびデジタル−アナログ変換を行って下りリンク中間周波数アナログ信号に変調することと、を含むことを特徴とする
請求項２に記載の方法。
【請求項４】
前記処理後の上りリンク中間周波数アナログ信号をＤＰＤのフィードバックとして入力し、前記イーサネットケーブルから中間周波数信号を取得し、上りリンクベースバンド信号に変換することは、
前記上りリンク中間周波数アナログ信号をバンドパスフィルタを通してフィルタリングし、アナログ−デジタル変換を行って上りリンク中間周波数デジタル信号を取得することと、
前記上りリンク中間周波数デジタル信号に対してダウンコンバージョン処理を行って上りリンクベースバンド信号に変換することと、を含むことを特徴とする
請求項１に記載の方法。
【請求項５】
前記ＢＢＵから伝送された下りリンクベースバンド信号の受信を実行した後、
前記下りリンクベースバンド信号からクロック信号を抽出し、イーサネットケーブルに出力し、ＲＲＵが当該クロック信号を受信した後にバンドパスフィルタを通してフィルタリングして基準クロック信号を取得して位相ロックループに入力するために供することをさらに含み、
前記ＢＢＵから伝送された下りリンクベースバンド信号の受信を実行する場合、
イーサネットによって伝送されたイーサネット信号を受信し、前記イーサネットケーブルに出力し、ＲＲＵがイーサネットケーブルから前記イーサネット信号を受信してイーサネット交換を行い、無線ＬＡＮインターフェースを介して出力するために供することをさらに含むことを特徴とする
請求項１〜４のいずれか１項に記載の方法。
【請求項６】
無線ベースバンドデータを伝送する装置であって、
ベースバンド処理ユニット（ＢＢＵ）から伝送された下りリンクベースバンド信号を受信し、前記下りリンクベースバンド信号を処理し、下りリンク中間周波数アナログ信号に変調し、イーサネットケーブルに出力するように構成される下りリンクベースバンド信号処理モジュールと、
検出フィードバックされた上りリンク中間周波数アナログ信号を前記イーサネットケーブルから取得し、前記上りリンク中間周波数アナログ信号を処理するように構成される検出フィードバックされた上りリンク中間周波数アナログ信号取得および処理モジュールと、
処理後の前記上りリンク中間周波数アナログ信号をデジタルプリディストーション（ＤＰＤ）のフィードバックとして入力し、前記イーサネットケーブルから中間周波数アナログ信号を取得し、上りリンクベースバンド信号に変換するように構成される上りリンクベースバンド信号生成モジュールと、
前記上りリンクベースバンド信号をＢＢＵに送信するように構成される上りリンクベースバンド信号送信モジュールとを含む、装置。
【請求項７】
前記検出フィードバックされた上りリンク中間周波数アナログ信号取得および処理モジュールにより取得された前記上りリンク中間周波数アナログ信号は、無線遠隔ユニット（ＲＲＵ）がイーサネットケーブルから受信された前記下りリンク中間周波数アナログ信号に対してアップコンバージョン処理を行って無線周波数信号を取得し、前記無線周波数信号を増幅し、増幅された無線周波数信号を検出して検出無線周波数信号を取得し、前記検出無線周波数信号に対してダウンコンバージョン処理を行うことで取得されるものであることを特徴とする
請求項６に記載の装置。
【請求項８】
前記下りリンクベースバンド信号処理モジュールは、
前記下りリンクベースバンド信号に対してデジタルアップコンバージョン処理を行って下りリンク中間周波数デジタル信号に変換するように構成されるアップコンバージョン処理ユニットと、
前記下りリンク中間周波数デジタル信号に対してピーククリッピング、デジタルプリディストーションおよびデジタル−アナログ変換を行って下りリンク中間周波数アナログ信号に変調するように構成される変調ユニットと、を含むことを特徴とする
請求項６に記載の装置。
【請求項９】
前記上りリンクベースバンド信号生成モジュールは、
前記上りリンク中間周波数アナログ信号をバンドパスフィルタを通してフィルタリングし、アナログ−デジタル変換を行って上りリンク中間周波数デジタル信号を取得するように構成される上りリンク中間周波数デジタル信号生成ユニットと、
前記上りリンク中間周波数デジタル信号に対してダウンコンバージョン処理を行って上りリンクベースバンド信号に変換するように構成されるダウンコンバージョン処理ユニットと、を含むことを特徴とする
請求項６に記載の装置。
【請求項１０】
前記下りリンクベースバンド信号からクロック信号を抽出し、イーサネットケーブルに出力し、ＲＲＵが当該クロック信号を受信した後にバンドパスフィルタを通してフィルタリングして基準クロック信号を取得して位相ロックループに入力するために供するように構成されるクロック信号抽出および出力モジュールをさらに含み、および／または
イーサネットによって伝送されたイーサネット信号を受信し、イーサネットケーブルに出力し、ＲＲＵがイーサネットケーブルから前記イーサネット信号を受信した後にイーサネット交換を行い、無線ＬＡＮインターフェースを介して出力するために供するように構成されるイーサネット信号出力モジュールをさらに含み、および／または
前記イーサネットケーブルへ電流及び電圧を供給し、および遠隔側のＲＲＵに電力を供給するように構成される給電装置（ＰＳＥ）およびイーサネット交換モジュールをさらに含むことを特徴とする
請求項６〜９のいずれか１項に記載の装置。
【請求項１１】
無線遠隔ユニット（ＲＲＵ）であって、
イーサネットケーブルから下りリンクアナログ中間周波数信号を取得し、取得された下りリンクアナログ中間周波数信号を下りリンク無線周波数信号に変換し、アンテナポートを介して出力するように構成される下りリンク信号処理サブモジュールと、
アンテナポートを介してフィードバックされた上りリンク無線周波数信号を受信して、上りリンク中間周波数アナログ信号に変換し、イーサネットケーブルに出力するように構成される上りリンク信号処理サブモジュールと、
前記下りリンク無線周波数信号を検出し、検出された信号に対してダウンコンバージョン処理を行って上りリンクアナログ中間周波数信号に変換してイーサネットケーブルに出力するように構成される下りリンク信号検出フィードバックサブモジュールとを含む、無線遠隔ユニット（ＲＲＵ）。
【請求項１２】
前記下りリンク信号処理サブモジュールは、
イーサネットケーブルからバンドパスフィルタを通してフィルタリングされた下りリンクアナログ中間周波数信号を取得するように構成される取得ユニットと、
フィルタリングされた前記下りリンクアナログ中間周波数信号に対してアップコンバージョン処理を行い、前記下りリンクアナログ中間周波数信号を下りリンク無線周波数信号に変換するように構成されるアップコンバージョン処理ユニットと、
電力増幅器で前記下りリンク無線周波数信号を増幅し、増幅された前記下りリンク無線周波数信号をデュプレックスフィルタを通してフィルタリングしてアンテナポートに出力するように構成される増幅および出力ユニットと、を含むことを特徴とする
請求項１１に記載のＲＲＵ。
【請求項１３】
前記上りリンク信号処理サブモジュールは、さらに、
フィードバックされた上りリンク無線周波数信号をアンテナポートから受信し、デュプレックスフィルタを通してフィルタリングし、低雑音増幅およびダウンコンバージョン処理を行って上りリンク中間周波数アナログ信号に変換し、イーサネットケーブルに出力するように構成されることを特徴とする
請求項１２に記載のＲＲＵ。
【請求項１４】
前記下りリンク信号検出フィードバックサブモジュールは、
電力増幅器で増幅された前記下りリンク無線周波数信号を検出するように構成される検出ユニットと、
検出された前記下りリンク無線周波数信号に対してダウンコンバージョン処理を行って上りリンクアナログ中間周波数信号に変換し、前記上りリンクアナログ中間周波数信号をイーサネットケーブルに出力するように構成されるダウンコンバージョン処理および出力ユニットと、を含むことを特徴とする
請求項１３に記載のＲＲＵ。
【請求項１５】
イーサネットケーブルから取得された前記下りリンクアナログ中間周波数信号をバンドパスフィルタを通してフィルタリングして基準クロック信号を取得して位相ロックループに入力するように構成されるクロック取得サブモジュールをさらに含み、および／または
内部のイーサネット交換モジュールに接続され、上りリンクおよび下りリンクワイヤレス・フィディリティー（ＷＩＦＩ）信号を処理するように構成される無線ローカルエリアネットワーク（ＷＬＡＮ）信号処理モジュールと、
内部のイーサネット交換モジュールに接続され、ＲＲＵに対して保守制御および監視を行うように構成される制御監視サブモジュールと、をさらに含み、および／または
イーサネットケーブルから電流及び電圧を抽出し、ＲＲＵの全てのアクティブモジュールに電力を供給するように構成される受電装置（ＰＤ）サブモジュールをさらに含むことを特徴とする
請求項１１〜１４のいずれか１項に記載のＲＲＵ。
【国際調査報告】
2016511959.tif 000020
2016511959.tif 000021
2016511959.tif 000022
2016511959.tif 000023